(57)【要約】【課題】簡易迅速に対応表を更新できる画像形成装置及びメッセージ制御方法を提供すること。【解決手段】画像形成装置２は、画像形成装置２の状態を識別する状態識別情報を取得する状態識別情報取得手段２１と、画像形成装置２の構成を識別する構成識別情報を取得する構成識別情報取得手段２０と、状態識別情報、構成識別情報及び対応するメッセージから構成される対応テーブルと、状態識別情報及び対応するメッセージから構成される部分対応テーブルと、対応テーブルから構成識別情報に基づいて部分対応テーブルを抽出する部分対応テーブル抽出手段２２と、部分対応テーブルから状態識別情報に基づいて対応するメッセージを抽出するメッセージ抽出手段２３と、を有することを特徴とする。【選択図】図１
2007098934.tif 000002
【特許請求の範囲】
【請求項１】
当該画像形成装置の状態を識別する状態識別情報を取得する状態識別情報取得手段と、
当該画像形成装置の構成を識別する構成識別情報を取得する構成識別情報取得手段と、
前記状態識別情報、前記構成識別情報、及び、対応するメッセージから構成される対応テーブルと、
前記状態識別情報、及び、前記対応するメッセージから構成される部分対応テーブルと、
前記対応テーブルから前記構成識別情報に基づいて前記部分対応テーブルを抽出する部分対応テーブル抽出手段と、
前記部分対応テーブルから前記状態識別情報に基づいて前記対応するメッセージを抽出するメッセージ抽出手段と、
を有することを特徴とする画像形成装置。
【請求項２】
前記メッセージ抽出手段が抽出したメッセージを表示するメッセージ表示手段を有することを特徴とする請求項１に記載の画像形成装置。
【請求項３】
前記メッセージ抽出手段が抽出したメッセージを、当該画像形成装置を操作する外部機器に送信するメッセージ送信手段を有することを特徴とする請求項１に記載の画像形成装置。
【請求項４】
前記構成識別情報取得手段は、当該画像形成装置を操作する外部機器から前記構成識別情報を取得することを特徴とする請求項１に記載の画像形成装置。
【請求項５】
前記構成識別情報取得手段は、当該画像形成装置が有する入力装置における入力に基づいて前記構成識別情報を取得することを特徴とする請求項１に記載の画像形成装置。
【請求項６】
前記構成識別情報取得手段は、前記構成識別情報を予め記憶した外部記憶装置から該構成識別情報を取得することを特徴とする請求項１に記載の画像形成装置。
【請求項７】
当該画像形成装置のオプションユニットの構成が変更されたことを検知する構成変更検知手段と、
前記構成変更検知手段により変更が検知された場合に、前記構成識別情報を入力する画面を表示させる入力画面表示手段と、
を有することを特徴とする請求項４又は５に記載の画像形成装置。
【請求項８】
当該画像形成装置におけるオプションユニットの構成が変更されたことを検知する構成変更検知手段と、
前記構成変更検知手段により変更が検知された場合に、オプションユニットの接続状態を取得するオプション接続状態取得手段と、
前記オプション接続状態取得手段により取得された前記オプションユニットの接続状態に基づいて、前記構成識別情報を自動的に選択して取得する構成識別情報選択手段と、
当該画像形成装置の状態を識別する状態識別情報を取得する状態識別情報取得手段と、
前記構成識別情報に基づいて、前記状態識別情報、前記構成識別情報、及び、対応するメッセージで構成される対応テーブルから、前記状態識別情報、及び、前記対応するメッセージで構成される部分対応テーブルを抽出する部分対応テーブル抽出手段と、
前記部分対応テーブルから前記状態識別情報に基づいて前記対応するメッセージを抽出するメッセージ抽出手段と、
を有することを特徴とする画像形成装置。
【請求項９】
前記構成変更検知手段は、オプションユニットの電源スイッチの切り替えに基づいて前記オプションの構成が変更されたことを検知する、
ことを特徴とする請求項７又は８に記載の画像形成装置。
【請求項１０】
前記構成変更検知手段は、当該画像形成装置の消費電力を制御する電力モードの切り替えに基づいて前記オプション構成が変更されたことを検知する、
ことを特徴とする請求項７又は８に記載の画像形成装置。
【請求項１１】
当該画像形成装置の状態を識別する状態識別情報を取得する状態識別情報取得ステップと、
当該画像形成装置の構成を識別する構成識別情報を取得する構成識別情報取得ステップと、
前記構成識別情報に基づいて、前記状態識別情報、前記構成識別情報、及び、対応するメッセージで構成される対応テーブルから、前記状態識別情報、及び、前記対応するメッセージで構成される部分対応テーブルを抽出する部分対応テーブル抽出ステップと、
前記部分対応テーブルから前記状態識別情報に基づいて前記対応するメッセージを抽出するメッセージ抽出ステップと、
を有することを特徴とするメッセージ制御方法。
【請求項１２】
当該画像形成装置におけるオプションユニットの構成が変更されたことを検知する構成変更検知ステップと、
前記構成変更検知ステップにおいて変更が検知された場合に、オプションユニットの接続状態を取得するオプション接続状態取得ステップと、
前記オプション接続状態取得ステップにおいて取得された前記オプションユニットの接続状態に基づいて、前記構成識別情報を自動的に選択して取得する構成識別情報選択ステップと、
当該画像形成装置の状態を識別する状態識別情報を取得する状態識別情報取得ステップと、
前記構成識別情報に基づいて、前記状態識別情報、前記構成識別情報、及び、対応するメッセージで構成される対応テーブルから、前記状態識別情報、及び、前記対応するメッセージで構成される部分対応テーブルを抽出する部分対応テーブル抽出ステップと、
前記部分対応テーブルから前記状態識別情報に基づいて前記対応するメッセージを抽出するメッセージ抽出ステップと、
を有することを特徴とするメッセージ制御方法。
【発明の詳細な説明】
【技術分野】
【０００１】
本発明は、操作プログラムとメッセージデータベースとを独立して保持する画像形成装置及びメッセージ制御方法に関し、特に、画像形成装置の構成情報に基づいてメッセージデータベースを切り替えることができる画像形成装置及びメッセージ制御方法に関する。
【背景技術】
【０００２】
プリンタや複写機等の画像形成装置は、内部のソフトウェア処理に応じて当該装置の状態が変化した場合、或いは、ハードウェアの故障等で当該装置が利用できない場合に、液晶パネルや通信手段等を介して、操作者が当該装置の状態を識別できるよう、関連する情報を当該操作者に通知する手段を有しているのが一般的である。この状態識別情報は、ユーザーが当該装置のソフトウェアの状態、ハードウェアの状態、当該画像形成装置の故障発生の有無、又は、ソフトウェア処理のエラー発生の有無等、当該装置の状態を理解するための情報を含む。また、状態識別情報はそれぞれ識別番号を有するのが一般的であり、該情報はこの識別番号を介して参照される。
【０００３】
当該識別番号と状態識別情報との対応表はＲＯＭ（Ｒｅａｄ  Ｏｎｌｙ  Ｍｅｍｏｒｙ）等の不揮発性メモリに格納されているのが一般的である。当該対応表は、当該識別番号と状態識別情報とを１対１で対応させる。異なる種類の画像形成装置、或いは、付属品（オプション）の異なる画像形成装置で当該対応表を使用する場合には、当該対応表は、状態識別情報の内容をそれぞれの画像形成装置に合わせて変更するか、或いは、状態識別情報に別の識別番号を割り当てるかしなければならない。例えば、装置Ａは、トレイが故障したときに識別番号１０００１番を参照し、トレイが故障していることを適切に通知するが、装置Ｂは、トレイが故障したときに別の識別番号を参照し、故障しているのはフィニッシャの搬送部分であると通知してしまう場合が起こり得るからである。これを回避するために、装置Ａ及びＢでそれぞれ異なる対応表を用意してもよいが、いずれにせよ、対応表を変更又は作成する必要がある。
【０００４】
従来、対応表と操作プログラムは一体であり、対応表の変更は操作プログラムの変更を意味する。操作プログラムの変更には、種々のバリデーションテスト等、多大な労力を必要とするため、対応表の変更を簡易かつ迅速に行うことができないという問題があった。
【０００５】
上記問題に鑑み、操作プログラム（ソフトウェア処理系）に影響を与えることなく、対応表（エラー情報テーブル）を更新できるよう、ソフトウェア処理系とエラー情報テーブルとを分離して、該エラー情報テーブルを外部記憶装置に保持し、当該エラー情報テーブルからエラーメッセージを抽出するエラーメッセージ出力方法が知られている（例えば、特許文献１参照。）。
【特許文献１】特開平５−１００９１１号公報
【発明の開示】
【発明が解決しようとする課題】
【０００６】
しかしながら、特許文献１においては、表示されるメッセージを変更するために操作プログラム（ソフトウェア処理系）を変更する必要はないが、対応表（エラー情報テーブル）を更新する必要があり、当該更新の方法が明確にされておらず、更新作業に要する労力が不明である。
【０００７】
そこで、本発明は、簡易迅速に対応表を更新できる画像形成装置及びメッセージ制御方法を提供することを目的とする。
【課題を解決するための手段】
【０００８】
上記目的を達成するために、第１の発明に係る画像形成装置は、当該画像形成装置の状態を識別する状態識別情報を取得する状態識別情報取得手段と、当該画像形成装置の構成を識別する構成識別情報を取得する構成識別情報取得手段と、前記状態識別情報、前記構成識別情報及び対応するメッセージから構成される対応テーブルと、前記状態識別情報及び前記対応するメッセージから構成される部分対応テーブルと、前記対応テーブルから前記構成識別情報に基づいて前記部分対応テーブルを抽出する部分対応テーブル抽出手段と、前記部分対応テーブルから前記状態識別情報に基づいて対応するメッセージを抽出するメッセージ抽出手段と、を有することを特徴とする。
【０００９】
第２の発明は、第１の発明に係る画像形成装置であって、前記メッセージ抽出手段が抽出したメッセージを表示するメッセージ表示手段を有することを特徴とする。
【００１０】
第３の発明は、第１の発明に係る画像形成装置であって、前記メッセージ抽出手段が抽出したメッセージを、当該画像形成装置を操作する外部機器に送信するメッセージ送信手段を有することを特徴とする。
【００１１】
第４の発明は、第１の発明に係る画像形成装置であって、前記構成識別情報取得手段は、当該画像形成装置を操作する外部機器から前記構成識別情報を取得することを特徴とする。
【００１２】
第５の発明は、第１の発明に係る画像形成装置であって、前記構成識別情報取得手段は、当該画像形成装置が有する入力装置における入力に基づいて前記構成識別情報を取得することを特徴とする。
【００１３】
第６の発明は、第１の発明に係る画像形成装置であって、前記構成識別情報取得手段は、前記構成識別情報を予め記憶した外部記憶装置から該構成識別情報を取得することを特徴とする。
【００１４】
第７の発明は、第４又は第５の発明に係る画像形成装置であって、当該画像形成装置におけるオプションユニットの構成が変更されたことを検知する構成変更検知手段と、前記構成変更検知手段により変更が検知された場合に、前記構成識別情報を入力する画面を表示させる入力画面表示手段と、を有することを特徴とする。
【００１５】
第８の発明に係る画像形成装置は、当該画像形成装置のオプション構成が変更されたことを検知する構成変更検知手段と、前記構成変更検知手段によりオプション構成の変更が検知された場合に、オプションユニットの接続状態を取得するオプション接続状態取得手段と、前記オプション接続状態取得手段により取得された前記オプションユニットの接続状態に基づいて、前記構成識別情報を自動的に選択して取得する構成識別情報選択手段と、当該画像形成装置の状態を識別する状態識別情報を取得する状態識別情報取得手段と、前記構成識別情報に基づいて、前記状態識別情報、前記構成識別情報、及び、対応するメッセージで構成される対応テーブルから、前記状態識別情報、及び、前記対応するメッセージで構成される部分対応テーブルを抽出する部分対応テーブル抽出手段と、前記部分対応テーブルから前記状態識別情報に基づいて前記対応するメッセージを抽出するメッセージ抽出手段と、を有することを特徴とする。
【００１６】
第９の発明は、第７又は第８の発明に係る画像形成装置であって、前記構成変更検知手段は、前記オプションユニットの電源スイッチの切り替えに基づいて前記オプションユニットの構成が変更されたことを検知することを特徴とする。
【００１７】
第１０の発明は、第７又は第８の発明に係る画像形成装置であって、前記構成変更検知手段は、当該画像形成装置の消費電力を制御する電力モードの切り替えに基づいて前記オプション構成が変更されたことを検知することを特徴とする。
【００１８】
第１１の発明に係るメッセージ制御方法は、当該画像形成装置の状態を識別する状態識別情報を取得する状態識別情報取得ステップと、当該画像形成装置の構成を識別する構成識別情報を取得する構成識別情報取得ステップと、前記構成識別情報に基づいて、前記状態識別情報、前記構成識別情報、及び、対応するメッセージで構成される対応テーブルから、前記状態識別情報、及び、前記対応するメッセージで構成される部分対応テーブルを抽出する部分対応テーブル抽出ステップと、前記部分対応テーブルから前記状態識別情報に基づいて前記対応するメッセージを抽出するメッセージ抽出ステップと、を有することを特徴とする。
【００１９】
第１２の発明に係るメッセージ制御方法は、当該画像形成装置におけるオプションユニットの構成が変更されたことを検知する構成変更検知ステップと、前記構成変更検知ステップにおいて変更が検知された場合に、オプションユニットの接続状態を取得するオプション接続状態取得ステップと、前記オプション接続状態取得ステップにおいて取得された前記オプションユニットの接続状態に基づいて、前記構成識別情報を自動的に選択して取得する構成識別情報選択ステップと、当該画像形成装置の状態を識別する状態識別情報を取得する状態識別情報取得ステップと、前記構成識別情報に基づいて、前記状態識別情報、前記構成識別情報、及び、対応するメッセージで構成される対応テーブルから、前記状態識別情報、及び、前記対応するメッセージで構成される部分対応テーブルを抽出する部分対応テーブル抽出ステップと、前記部分対応テーブルから前記状態識別情報に基づいて前記対応するメッセージを抽出するメッセージ抽出ステップと、を有することを特徴とする。
【発明の効果】
【００２０】
本発明により、簡易迅速に対応表を更新できる画像形成装置及びメッセージ制御方法を提供することが可能となる。
【発明を実施するための最良の形態】
【００２１】
以下、図面を参照しつつ本発明を実施するための最良の形態の説明を行う。
（構成）
図１は、本発明に従った画像形成装置の構成例を示す図である。図１において、画像形成装置２は、ホストＰＣ１に接続されるプリンタ又はプリンタ機能を備えた複合機であり、印刷処理部３、ホストＩ／Ｆ（ＩｎｔｅｒＦａｃｅ）４、制御部５、一時記憶装置６、状態通知部７、デバイス管理部８、表示装置９、入力装置１０、外部記憶装置１１から構成される。
【００２２】
ホストＰＣ１は、種々のアプリケーションソフトウェアを備え、該アプリケーションソフトで作成した文書等を画像形成装置２に送信する。また、ホストＰＣ１は、画像形成装置２を操作することもできる。印刷処理部３は、ホストＩ／Ｆ４で受信する印刷要求を解釈し、用紙等の出力媒体への出力処理を行う。ホストＩ／Ｆ４は、ホストＰＣ１からのデータを受信し、画像形成装置２内の各モジュールに伝達する。また、ホストＩ／Ｆ４は、画像形成装置２内の各モジュールからの要求に応じて、ホストＰＣ１にデータを送信する。
【００２３】
制御部５は、画像形成装置２の他のモジュールを制御する部分であり、構成識別情報取得手段２０、状態識別情報取得手段２１、部分対応テーブル抽出手段２２、メッセージ抽出手段２３、メッセージ表示手段２４、及び、メッセージ送信手段２５を有する。
【００２４】
構成識別情報取得手段２０は、ホストＩ／Ｆ４又はデバイス管理部８から構成識別情報を取得する。「構成識別情報」とは、画像形成装置２の種類、型、バージョン、使用言語等を識別するための情報であり、該情報を識別するための構成識別番号には固有の数字又は記号等が割り当てられる。例えば、構成識別番号は、入力装置１０から入力された値、ホストＰＣ１から入力された値、又は、外部記憶装置１１に予め記憶された値を読み取ることにより取得される。
【００２５】
状態識別情報取得手段２１は、状態通知部７から状態識別情報を取得する。「状態識別情報」とは、画像形成装置２のソフトウェアの状態、ハードウェアの状態、故障発生の有無、又は、ソフトウェア処理のエラー発生の有無等、当該装置の状態に関する情報であり、該情報を識別するための状態識別番号には固有の数字又は記号等が割り当てられる。
【００２６】
部分対応テーブル抽出手段２２は、構成識別番号に基づいて、外部記憶装置１１内に保存されている対応テーブルから部分対応テーブルを一時記憶装置６に抽出する。
【００２７】
メッセージ抽出手段２３は、状態識別番号に基づいて、部分対応テーブル抽出手段２２により一時記憶装置６に抽出された部分対応テーブルから対応するメッセージを抽出する。
【００２８】
メッセージ表示手段２４は、メッセージ抽出手段２３により抽出された対応メッセージを表示装置９に表示する。
【００２９】
メッセージ送信手段２５は、メッセージ抽出手段２３により抽出された対応メッセージをホストＩ／Ｆ４を介してホストＰＣ１等に送信する。
【００３０】
構成変更検知手段２６は、画像形成装置２のオプション構成が変更されたことを検知する手段であり、例えば、オプションユニットの電源スイッチが切り替えられた旨の信号をオプションユニットから受信したり、電力モードが切り替えられた旨の信号を制御部５から受信したりした場合に、オプション構成の変更を検知する。
【００３１】
「オプションユニット」とは、画像形成装置２に選択的に接続される装置であり、例えば、大量給紙トレイ、フィニッシャ又は手差しトレイ等をいう。
【００３２】
「オプション構成」とは、画像形成装置２とオプションユニットとの組み合わせをいい、例えば、大量給紙トレイ、フィニッシャ及び手差しトレイ等のオプションユニットが全て接続された画像形成装置２や、大量給紙トレイのみが接続された画像形成装置２等、複数の組み合わせがある。
【００３３】
オプション構成は、大量給紙トレイ、フィニッシャ又は手差しトレイ等のオプションユニットが選択的に脱着されたり、画像形成装置２から別個独立した電源を有するオプションユニットの電源が個別にオン・オフされたり、或いは、画像形成装置２の作動状態が省エネモードに自動的に切り替えられたりすることにより、変更される。
【００３４】
「電力モード」とは、異なる消費電力で作動する画像形成装置２の作動状態をいい、例えば、「省エネモード」や「通常モード」がある。
【００３５】
「省エネモード」は、所定時間にわたり画像形成装置２が操作されなかったときに、一部のオプションユニットへの電力供給を遮断して消費電力を低減させる画像形成装置２の作動状態をいう。また、「通常モード」は、全てのオプションユニットへの電力供給を継続し全てのオプションユニットを使用可能とする画像形成装置２の作動状態をいう。
【００３６】
なお、構成変更検知手段２６は、後述のオプション接続状態取得手段２８が取得したオプション接続状態に基づいてオプション構成が変更されたか否かを検知するようにしてもよい。
【００３７】
入力画面表示手段２７は、構成識別番号の入力画面を表示装置９に表示させる手段である。入力画面表示手段２７は、例えば、構成変更検知手段２６によりオプション構成の変更が検知されると、入力画面を表示装置９に表示させる。
【００３８】
構成識別番号の入力画面は、既に設定されている構成識別番号を表示し、操作者がカーソル等によりその表示された番号から所望の番号を選択できるようにする画面であり、テンキー等により任意の番号を入力できるようにする画面であってもよい。また、構成識別番号の入力画面は、各構成識別番号と共に、その構成識別番号それぞれの簡単な説明を表示するものであってもよい。操作者が適切な構成識別番号を簡単に入力できるようにするためである。
【００３９】
入力画面表示手段２７は、通常、構成変更検知手段２６によりオプション構成の変更が検知された場合に入力画面を表示装置９に表示させるが、図示しない入力画面表示ボタン等により任意のタイミングで入力画面を表示装置９に表示させるようにしてもよい。
【００４０】
また、入力画面表示手段２７は、構成識別番号の入力画面をホストＰＣ１の表示画面に表示させるようにしてもよい。この場合、画像形成装置２は、ホストＰＣ１における入力を介して構成識別番号を取得する。
【００４１】
オプション接続状態取得手段２８は、オプションユニットの接続状態を確認する手段であり、各オプションユニットの接続状態を確認するために、各オプションユニットに信号を送信し、オプション接続状態取得手段２８から送信された信号に応答して各オプションユニットが返信する信号を受信する。各オプションユニットは、オプション接続状態取得手段２８からの信号を受信すると、自己を識別させるための信号をオプション接続状態取得手段２８に送信する。
【００４２】
オプション接続状態取得手段２８は、各オプションユニットからの応答があった場合、応答したオプションユニットが接続されていると判断し、一方、各オプションユニットからの応答がない場合、応答がなかったオプションユニットが接続されていないものと判断する。
【００４３】
なお、オプション接続状態取得手段２８は、画像形成装置２の起動時にオプションユニットの接続状態を取得し、その後は、接続確認のために各オプションユニットへ信号を送信することなく、電源がオフされた旨の通知を行ったオプションユニットの接続が切断され、係る通知を行っていない他のオプションユニットの接続は継続していると判断してもよい。接続状態の判断を簡易かつ迅速に行うためである。
【００４４】
オプション接続状態取得手段２８は、各オプションユニットの接続状態を外部記憶装置１１やＲＡＭ等に記憶しておき、各オプションユニットからの信号に基づいて接続状態の内容を更新する。
【００４５】
なお、構成変更検知手段２６は、過去に記憶されたオプションフラグの値と現在のオプションフラグの値とを比較してオプション構成の変更を検知するようにしてもよい。
【００４６】
構成識別情報選択手段２９は、オプションユニットの接続状態に基づいて構成識別情報を自動的に選択する手段であり、例えば、構成変更検知手段２６によりオプション構成の変更が検知された場合に、オプション接続状態取得手段２８により取得された各オプションユニットの接続状態に対応する構成識別番号を自動的に選択する。
【００４７】
一時記憶装置６は、ＲＡＭ（Ｒａｎｄｏｍ  Ａｃｃｅｓｓ  Ｍｅｍｏｒｙ）、ハードディスク、メモリーカード等である。
【００４８】
状態通知部７は、画像形成装置２又はその周辺機器９、１０、１１等で障害が発生した場合に、該障害を検知し、その障害内容に基づく状態識別番号を発行する。
【００４９】
デバイス管理部８は、表示装置９、入力装置１０及び外部記憶手段１１と制御部５との間の信号の入出力を制御する。
【００５０】
表示装置９は、液晶パネルやＬＥＤ（Ｌｉｇｈｔ  Ｅｍｉｔｔｉｎｇ  Ｄｉｏｄｅ）パネル等である。
【００５１】
入力装置１０は、ボタン若しくはスイッチ等で構成されるパネル、又は、音声入力装置等である。
【００５２】
外部記憶装置１１は、ハードディスク、メモリーカード、ＲＯＭ等、画像形成装置２の電源を切断しても情報を維持できる不揮発性記憶媒体から成る装置である。
【００５３】
図２は、外部記憶装置１１内に保存されている対応テーブルの例である。この対応テーブルは、構成識別番号欄３０、状態識別番号欄３１及びメッセージ欄３２を有する。構成識別番号欄には、「１」、「２」、「３」等の番号があり、状態識別番号欄３１には「１０００１」、「１０００２」等の番号があり、メッセージ欄３２には対応するメッセージが規定されている。例えば、同じ状態識別番号「１０００１」が複数あり、それぞれ異なるメッセージが対応しているが、構成識別番号で分類すると、状態識別番号に基づいて対応するメッセージは一意に決定される。
【００５４】
図３は、構成識別番号に基づいて、対応テーブルから一時記憶装置６に抽出される部分対応テーブルの例である。この例は、構成識別情報の構成識別番号「２」に属する部分を対応テーブルから抽出したものであり、状態識別番号欄３３及びメッセージ欄３４を有する。既に構成識別番号を用いて抽出されているので、対応するメッセージは状態識別番号に基づいて一意に決定される。
（発明の概要）
本発明に係る画像形成装置２では、起動時に構成識別情報取得手段２０が外部記憶装置１１の所定位置にある構成識別番号を取得し、部分対応テーブル抽出手段２２が該構成識別番号に基づいて、外部記憶装置１１にある対応テーブルから一時記憶装置６に部分対応テーブルを抽出する。
【００５５】
その後、画像形成装置２において、状態通知部７が画像形成装置２の状態の変化を検出すると、状態識別情報取得手段２１が該変化を状態識別番号として状態通知部７から取得し、メッセージ抽出手段２３が当該状態識別番号に基づいて、一時記憶装置６に記憶された部分対応テーブルから対応するメッセージを抽出する。
【００５６】
その後、メッセージ表示手段２４が、抽出されたメッセージを表示装置９に表示し、或いは、メッセージ送信手段２５が、抽出されたメッセージをホストＩ／Ｆ４を介してホストＰＣ１に送信する。
【００５７】
また、画像形成装置２のファームウェアのバージョンが変更された場合等、使用するメッセージデータベースを変更するために部分対応テーブルの更新が必要になった場合、ユーザーは、画像形成装置２の入力装置１０又はホストＰＣ１から構成識別番号を入力して、外部記憶装置１１の所定位置にある構成識別番号を更新する。
【００５８】
その後、部分対応テーブル抽出手段２２は、更新された構成識別番号に基づいて外部記憶装置１１にある対応テーブルから一時記憶装置６に新しい部分対応テーブルを抽出する。
【００５９】
これにより、対応テーブルを変更することなく簡易迅速に部分対応テーブルを更新することが可能となる。なお、画像形成装置２は、外部記憶装置１１にある対応テーブルの内容を追加、変更、削除等することも可能である。
【実施例１】
【００６０】
実施例１は、入力装置１０から構成識別番号を入力し部分対応テーブルを更新する画像形成装置２に関する。
【００６１】
図４は、実施例１において、対応テーブルから部分対応テーブルを抽出する処理の流れを示すフローチャートである。この処理は画像形成装置２の起動時又は構成識別番号の変更があった場合に実行される。また、ホストＰＣ１からの印刷要求がある度に実行されてもよい。例えば、ユーザーに応じて対応テーブルを変更し、印刷を行うユーザーの画像形成装置２に関する熟練度に合わせたメッセージを表示できるようにするためである。
【００６２】
最初に、デバイス管理部８は構成識別番号を入力装置１０から取得する（ステップＳ１０１）。
【００６３】
次にデバイス管理部８は、入力装置１０から構成識別番号を適切に取得できたか否かを判断する（ステップＳ１０２）。
【００６４】
デバイス管理部８が入力装置１０から構成識別番号を適切に取得できない場合には（ステップＳ１０２のＮＯ）、デバイス管理部８は、外部記憶装置１１の構成識別番号記憶領域に構成識別番号の初期値「１」を記憶する。なお、画像形成装置２は、外部記憶装置１１の構成識別番号記憶領域に初期値「１」を記憶せずに既に記憶されている構成識別番号を使用するようにしてもよい。
【００６５】
デバイス管理部８が入力装置１０から構成識別番号を適切に取得できた場合には（ステップＳ１０２のＹＥＳ）、デバイス管理部８は、取得した構成識別番号の値を外部記憶装置１１の構成識別番号記憶領域に記憶する。
【００６６】
次に、部分対応テーブル抽出手段２２は、外部記憶装置１１にある対応テーブルを作業用ＲＡＭ（図示せず。）に複製して取得する（ステップＳ１０４）。部分対応テーブル抽出手段２２は、作業用ＲＡＭにおいて、構成識別番号記憶領域にある構成識別番号と対応テーブルにある構成識別番号との照合を行う。まず、構成識別番号記憶領域に記憶された構成識別番号が「１」の場合、部分対応テーブル抽出手段２２は、対応テーブルで照合すべき行を「１」行目に設定し（ステップＳ１０５）、対応テーブルの最初の行（１行目）を参照して（ステップＳ１０６）、照合を行う（ステップＳ１０７）。
【００６７】
照合できた場合には（ステップＳ１０７のＹＥＳ）、その行の状態識別番号とメッセージとを構成要素として、作業用ＲＡＭ上に用意された部分対応テーブルの行に追加する（Ｓ１０８）。照合できなかった場合には（ステップＳ１０７のＮＯ）、この追加は行われない。
【００６８】
その後、照合すべき行の番号をインクリメントし（ステップＳ１０９）、照合する行番号と対応テーブルの最終行の行番号とを比較する（ステップＳ１１０）。
【００６９】
照合する行番号が対応テーブルの最終行の行番号以下の場合には（ステップＳ１１０のＮＯ）、当該行番号が示す対応テーブルの行に対してステップＳ１０６乃至ステップＳ１１０の処理を繰り返す。照合する行番号が対応テーブルの最終行の行番号より大きくなった場合には（ステップＳ１１０のＹＥＳ）、作業用ＲＡＭ上に作成された部分対応テーブルを一時記憶装置６に保存して（ステップＳ１１１）、処理を終了する。
【００７０】
なお、部分対応テーブル抽出手段２２は、１つの構成識別番号に対応する状態識別情報及びメッセージの行がまとまって存在するような場合には、例えばその先頭行とそのまとまりの行数を外部記憶装置１１の所定領域に記憶しておくことにより、１行ごとに照合して複製することなく一括して一時記憶装置６に複製することもできる。
【００７１】
図５は、実施例１において、部分対応テーブルからメッセージを抽出する処理の流れを示すフローチャートである。この処理は、画像形成装置２の状態が変化した場合等に実行される。
【００７２】
最初に、状態識別情報取得手段２１は、情報通知部７から状態識別情報として状態識別番号を取得する（ステップＳ２０１）。
【００７３】
次にメッセージ抽出手段２３は、取得した状態識別番号と、一時記憶装置６にある部分対応テーブルの状態識別番号との照合を行う。メッセージ抽出手段２３は、部分対応テーブルで照合すべき行を「１」行目に設定し（ステップＳ２０２）、部分対応テーブルの最初の行（１行目）を参照して（ステップＳ２０３）、照合を行う（ステップＳ２０４）。
【００７４】
照合できなかった場合には（ステップＳ２０４のＮＯ）、照合すべき行の番号をインクリメントし（ステップＳ２０５）、照合する行番号と、部分対応テーブルの最終行の行番号とを比較する（ステップＳ２０６）。
【００７５】
照合する行番号が部分対応テーブルの最終行の行番号以下の場合には（ステップＳ２０６のＮＯ）、当該行番号が示す部分対応テーブルの行に対してステップＳ２０３乃至ステップＳ２０６の処理を繰り返す。
【００７６】
照合する行番号が部分対応テーブルの最終行の行番号より大きくなった場合には（ステップＳ２０６のＹＥＳ）、「原因不明の状態」というメッセージを取得する（ステップＳ２０７）。
【００７７】
メッセージ抽出手段２３が状態識別番号を照合できた場合には（ステップＳ２０４のＹＥＳ）、その行のメッセージを取得する（ステップＳ２０８）。
【００７８】
その後、メッセージ表示手段２４は、メッセージ抽出手段２３が取得したメッセージを、デバイス管理部８を介して表示装置９に送信しメッセージを表示させる（ステップＳ２０９）。
【００７９】
その後、状態識別番号が示す情報が画像形成装置２の故障や操作プログラムのエラーを伝えるものであるか否かを判断し（ステップＳ２１０）、該当する場合には（ステップＳ２１０のＹＥＳ）、エラー処理を実行する（ステップＳ２１１）。該当しない場合には（ステップＳ２１０のＮＯ）、そのまま処理を終了する。
【００８０】
このように、画像形成装置２の複数の構成に対応するメッセージデータベースを外部記憶装置１１に保持し、実際に使用する画像形成装置２の構成に対応した必要十分なメッセージデータベースを一時記憶装置６に抽出して使用することで、操作プログラムの変更を要せず、使用するメッセージデータベースを切り替えることができ、使用する画像形成装置２に応じた適切な内容のメッセージを表示する構成をとることが可能となる。
【００８１】
次に、画像形成装置２の稼働中にオプション構成が変更された場合、画像形成装置２が新しい構成識別番号を取得する処理について説明する。
【００８２】
画像形成装置２は、使用する装置本体を同一としながら、当該装置が稼働中にオプションユニットの構成が変更された場合であっても、変更後のオプション構成に対応する構成識別番号を取得して部分対応テーブルを更新し、適切なメッセージを表示する。部分対応テーブルの更新を行わなかった場合、例えば、大量給紙トレイが取り外され、その代わりに手差しトレイが装着されたときに、画像形成装置２が大量給紙トレイに関するメッセージを表示してしまう場合があるからである。
【００８３】
図６は、実施例１において、画像形成装置２のオプション構成が変更された場合に新しい構成識別番号を取得する処理の流れを示すフローチャートである。
【００８４】
最初に、画像形成装置２は、構成変更検知手段２６によりオプションユニットからの信号を監視する（ステップＳ３０１）。
【００８５】
画像形成装置２は、構成変更検知手段２６によりオプション構成が変更されたことを検知しない場合は（ステップＳ３０１のＮＯ）、オプションユニットからの信号の監視を継続する。
【００８６】
一方、画像形成装置２は、オプションユニットからの信号を受信し、構成変更検知手段２６によりオプション構成が変更されたことを検知した場合（ステップＳ３０１のＹＥＳ）、入力画面表示手段２７により表示装置９に構成識別番号の入力を促す画面を表示させる（ステップＳ３０２）。
【００８７】
その後、画像形成装置２は、入力装置１０を介して構成識別番号が入力されるのを監視する（ステップＳ３０３）。
【００８８】
画像形成装置２は、構成識別番号が入力されない限り識別番号の入力を促す画面の表示を継続し（ステップＳ３０３のＮＯ）、構成識別番号が入力された場合には（ステップＳ３０３のＹＥＳ）、入力された構成識別番号と対応テーブルとから部分対応テーブルを抽出して、適切なメッセージが表示できるようにする（ステップＳ３０４）。
【００８９】
この構成により、画像形成装置２は、装置作動中にオプション構成が変更された場合であっても、複数のオプション構成に対応するメッセージデータベースを外部記憶装置１１に保持しておくことで、使用するメッセージデータベースを切り替えることができ、画像形成装置２のオプション構成に応じた適切な内容のメッセージを表示することが可能となる。
【００９０】
図７は、実施例１において、オプションユニットの電源スイッチが切り替えられた場合に、画像形成装置２が各オプションユニットの接続状態を取得し、オプション構成の変更を検知する処理の流れを示すフローチャートである。なお、オプションユニットの電源は、画像形成装置２の電源とは別個独立のものとする。
【００９１】
最初に、構成変更検知手段２６は、オプションユニットの電源スイッチが切り替えられるのを監視する（ステップＳ４０１）。オプションユニットの電源スイッチに変化がない場合（ステップＳ４０１のＮＯ）、構成変更検知手段２６は、オプションユニットの電源スイッチの切り替えの監視を継続する。オプションユニットの電源スイッチがオン又はオフされる等、電源スイッチが切り替えられた場合（ステップＳ４０１のＹＥＳ）、オプション接続状態取得手段２８は、何れのオプションユニットへの電源供給が再開され、或いは、遮断されるかを確認するために全てのオプションユニットに対し応答を求める信号を送信し、かつ、全てのオプションフラグを「０」にリセットする（ステップＳ４０２）。
【００９２】
「オプションフラグ」とは、外部記憶装置１１やＲＡＭ等に記憶されるオプションユニットの接続状態を示すフラグであり、大量給紙トレイビット、フィニッシャビット及び手差しトレイビット等を有する。
【００９３】
オプションフラグにおける大量給紙トレイビットが「１」にセットされた場合、大量給紙トレイが画像形成装置２に接続され使用可能であることを示し、オプションフラグにおける大量給紙トレイビットが「０」にセットされた場合、大量給紙トレイが画像形成装置２に（電気的に）接続されておらず使用不能であることを示す。フィニッシャビット及び手差しトレイビットに関しても同様である。
【００９４】
次に、オプション接続状態取得手段２８は、オプションユニットの１つである大量給紙トレイからの応答の有無を判断し（ステップＳ４０３）、応答があった場合には（ステップＳ４０３のＹＥＳ）、オプションフラグの大量給紙トレイビットを「１」にセットする。応答が無かった場合には（ステップＳ４０３のＮＯ）、大量給紙トレイビットを「１」にセットしない。
【００９５】
同様に、オプション接続状態取得手段２８は、フィニッシャ及び手差しトレイからの応答の有無を判断し（ステップＳ４０５、ステップＳ４０７）、応答があった場合には（ステップＳ４０５のＹＥＳ、ステップＳ４０７のＹＥＳ）、フィニッシャビット及び手差しトレイビットのそれぞれを「１」にセットする。応答が無かった場合には（ステップＳ４０５のＮＯ、ステップＳ４０７のＮＯ）、フィニッシャビット及び手差しトレイビットのそれぞれを「１」にセットしない。
【００９６】
なお、オプション接続状態取得手段２８は、最初に全てのオプションフラグの値を「０」にリセットすることなく、各オプションユニットからの応答を受けなかった場合に、オプションフラグの各ビットを「０」にセットするようにしてもよい。
【００９７】
また、本実施例において、オプション接続状態取得手段２８は、大量給紙トレイ、フィニッシャ及び手差しトレイの３つからの応答を受け付けるが、より多くのオプションユニットからの応答を受け付けることができるのはいうまでもない。
【００９８】
なお、画像形成装置２は、オプションユニットの電源スイッチとは無関係に、例えば、所定時間間隔で応答を求める信号を各オプションユニットに送信し、定期的にオプションユニットの接続状態を取得してオプション構成の変更を検知するようにしてもよい。
【００９９】
このように、画像形成装置２は、オプションユニットの電源スイッチのオン・オフが切り替えられる毎に、各オプションユニットからの信号に基づいて各オプションユニットの接続状態を外部記憶装置１１やＲＡＭ等にオプションフラグとして記憶する。また、画像形成装置２は、過去に記憶されたオプションフラグの値と、現在のオプションフラグの値とを比較してオプション構成が変更されたか否かを検知する。
【０１００】
オプション構成が変更された場合、図６に示す処理により、画像形成装置２は、新しい構成識別番号を取得し、この構成識別番号と対応テーブルとから部分対応テーブルを抽出して、適切なメッセージが表示できるようにする。
【０１０１】
この構成により、画像形成装置２は、オプション構成が変更された場合であっても、使用するメッセージデータベースを切り替えることにより、オプション構成に応じた適切な内容のメッセージを表示することが可能となる。
【０１０２】
また、画像形成装置２は、オプションフラグを使用することにより、オプション構成の変更をより確実に把握することができ、オプション構成に応じた適切な内容のメッセージを確実に表示することが可能となる。
【実施例２】
【０１０３】
実施例２は、日本語によるメッセージを英語によるメッセージに簡易迅速に切り替えることのできる画像形成装置２に関する。
【０１０４】
図８は、実施例２で使用する対応テーブルの例である。この対応テーブルは、構成識別番号欄４０、状態識別番号欄４１及びメッセージ欄４２を有する。構成識別番号欄４０には、「１」及び「２」の番号があり、「１」が日本語、「２」が英語に対応している。状態識別番号欄４１には「１０００１」、「１０００２」等の番号があり、メッセージ欄４２には対応するメッセージがそれぞれ日本語及び英語で規定されている。例えば、同じ状態識別番号「１０００１」が２つあり、一方は日本語で「トレイ１が故障しています。」と規定され、他方は英語で「Ｅｒｒｏｒ：Ｔｒａｙ１」と規定される。双方の意味は同じである。
【０１０５】
図９は、実施例２で使用する部分対応テーブルの例である。この例は、構成識別情報の構成識別番号「２」に属する部分を対応テーブルから抽出したものであり、状態識別番号欄４３及びメッセージ欄４４を有する。構成識別番号「２」（英語）を用いて抽出されているので、対応する英語のメッセージは状態識別番号に基づいて一意に決定される。なお、構成識別番号及びメッセージを追加し、中国語、フランス語等、他の言語を含む対応テーブルを用意してもよい。
【０１０６】
この構成により、画像形成装置２は、サポートする言語が複数ある場合であっても、使用するメッセージデータベースを切り替えることにより、操作プログラムの変更を要せず、サポートする言語に応じた適切な内容のメッセージを表示する構成をとることが可能となる。
【実施例３】
【０１０７】
実施例３は、電源モードの切り替わりに基づいてオプション構成の変更を検知する画像形成装置２に関する。
【０１０８】
図１０は、実施例３において、画像形成装置２の稼働中に電力モードが切り替えられた場合に、各オプションユニットの接続状態を取得し、オプション構成の変更を検知する処理の流れを示すフローチャートであり、図７に示す処理とステップＳ５０１において異なる。なお、他のステップ（ステップＳ５０２乃至ステップＳ５０８）は図７に示す処理と同じであるため説明を省略する。
【０１０９】
構成変更検知手段２６は、画像形成装置２における電力モードを監視する（ステップＳ５０１）。電力モードに変更がない場合、すなわち、電力モードが「通常モード」を維持する場合、或いは、「省エネモード」を維持する場合（ステップＳ５０１のＮＯ）、構成変更検知手段２６は、電力モードの監視を継続する。画像形成装置２の電力モードが「通常モード」から「省エネモード」に移行した場合、或いは、「省エネモード」から「通常モード」に復帰した場合（ステップＳ５０１のＹＥＳ）、オプション接続状態取得手段２８は、何れのオプションユニットへの電源供給が再開されたか、或いは、遮断されたかを確認するために全てのオプションユニットに対し応答を求める信号を送信し、かつ、オプションフラグをすべて「０」にリセットする（ステップＳ５０２）。
【０１１０】
このように、画像形成装置２は、電力モードの切り替えが発生する毎に、各オプションユニットからの信号に基づいて各オプションユニットの接続状態を外部記憶装置１１やＲＡＭ等にオプションフラグとして記憶する。また、画像形成装置２は、過去に記憶されたオプションフラグの値と、現在のオプションフラグの値とを比較してオプション構成が変更されたか否かを検知する。
【０１１１】
オプション構成の変更が検知された場合、図６に示す処理により、画像形成装置２は、新しい構成識別番号を取得し、この構成識別番号と対応テーブルとから部分対応テーブルを抽出して、適切なメッセージが表示できるようにする。
【０１１２】
この構成により、画像形成装置２は、電力モードの変更によりオプション構成が変更された場合であっても、使用するメッセージデータベースを切り替えることにより、オプション構成に応じた適切な内容のメッセージを表示することが可能となる。
【実施例４】
【０１１３】
実施例４は、各オプションユニットの接続状態から構成識別番号を自動的に選択することのできる画像形成装置２に関する。
【０１１４】
図１１は、外部記憶装置１１に保存されるオプション接続状態テーブルの例である。このオプション接続状態テーブルは、構成識別番号欄３５、オプション接続状態欄３６を有し、オプション接続状態欄３６は、大量給紙トレイ欄３７、フィニッシャ欄３８及び手差しトレイ欄３９を有する。構成識別番号欄には、「１」、「２」、「３」等の番号が規定され、また、オプション接続状態欄３６における、大量給紙トレイ欄３７、フィニッシャ欄３８及び手差しトレイ欄３９には「ＯＮ」、「ＯＦＦ」の何れかが規定される。
【０１１５】
大量給紙トレイ欄３７、フィニッシャ欄３８及び手差しトレイ欄３９の値は、オプションフラグの値に対応する。
【０１１６】
オプションフラグにおける大量給紙トレイビットの値「１」が、大量給紙トレイ欄３７の値「ＯＮ」に対応し、オプションフラグにおける大量給紙トレイビットの値「０」が、大量給紙トレイ欄３７の値「ＯＦＦ」に対応する。フィニッシャビット及び手差しトレイビットに関しても同様である。
【０１１７】
オプション接続状態テーブルは、外部記憶装置１１やＲＡＭ等に記憶されたオプションフラグの値から構成識別番号を導き出すためのテーブルであり、例えば、オプションフラグの大量給紙トレイビット、フィニッシャビット及び手差しビットの値の全てが「０」の場合、大量給紙トレイ欄３７、フィニッシャ欄３８及び手差しトレイ欄３９の値が全て「ＯＦＦ」の組み合わせとなる１行目が選択され、その行に規定された構成識別番号「１」を導く。
【０１１８】
図１２は、実施例４において、オプションユニットの接続状態から構成識別番号を自動的に選択する処理の流れを示すフローチャートである。
【０１１９】
最初に、画像形成装置２は、構成変更検知手段２６によりオプションユニットからの信号を監視する（ステップＳ６０１）。
【０１２０】
画像形成装置２は、構成変更検知手段２６によりオプション構成が変更されたことを検知しない限り（ステップＳ６０１のＮＯ）、オプションユニットからの信号の監視を継続する。
【０１２１】
一方、画像形成装置２は、オプションユニットからの信号を受信し、構成変更検知手段２６によりオプション構成が変更されたことを検知した場合（ステップＳ６０１のＹＥＳ）、
図１１に示す外部記憶装置１１に保存されたオプション接続状態テーブルを取得し、作業用ＲＡＭにそのオプション接続状態テーブルを読み出す（ステップＳ６０２）。
【０１２２】
次に、構成識別情報選択手段２９は、作業用ＲＡＭにおいて、外部記憶装置１１やＲＡＭ等に記憶されたオプションフラグのオプション接続状態とオプション接続状態テーブルに規定されたオプション接続状態との照合を行う。構成識別情報選択手段２９は、最初に、オプション接続状態テーブルで照合すべき行を「１」行目に設定し（ステップＳ６０３）、オプション接続状態テーブルの最初の行（１行目）を参照して（ステップＳ６０４）、オプションフラグのオプション接続状態とオプション接続状態テーブルに規定されたオプション接続状態との照合を行う（ステップＳ６０５）。
【０１２３】
照合できた場合には（ステップＳ６０５のＮＯ）、その行の構成識別番号欄３５の値を設定すべき構成識別番号として選択して（ステップＳ６０９）、処理を終了する。例えば、外部記憶装置１１やＲＡＭ等に記憶されたオプションフラグの「大量給紙トレイビット」、「フィニッシャビット」及び「手差しトレイビット」が全て「０」の組み合わせは、オプション接続状態テーブルの１行目の「大量給紙トレイ：ＯＦＦ」、「フィニッシャ：ＯＦＦ」及び「手差しトレイ：ＯＦＦ」に対応し、その行の構成識別番号欄３５の値である「１」が設定すべき構成識別番号として選択される。
【０１２４】
照合できなかった場合には（ステップＳ６０５のＹＥＳ）、照合すべき行の番号をインクリメントし（ステップＳ６０６）、照合する行番号とオプション接続状態テーブルの最終行の行番号とを比較する（ステップＳ６０７）。
【０１２５】
照合する行番号がオプション接続状態テーブルの最終行の行番号以下の場合には（ステップＳ６０７のＮＯ）、当該行番号が示すオプション接続状態テーブルの行に対してステップＳ６０４乃至ステップＳ６０６の処理を繰り返す。照合する行番号がオプション接続状態テーブルの最終行の行番号より大きくなった場合には（ステップＳ６０７のＹＥＳ）、設定すべき構成識別番号の値を１にセットして（ステップＳ６０８、ステップＳ６０９）、処理を終了する。
【０１２６】
この構成により、画像形成装置２は、オプション構成が変更された場合であっても、使用するメッセージデータベースを自動的に切り替えることにより、操作者に所定の操作を要求することなく、オプション構成に応じた適切な内容のメッセージを表示することが可能となる。
【０１２７】
以上、本発明の好ましい実施例について詳説したが、本発明は、上述した実施例に制限されることはなく、本発明の範囲を逸脱することなく、上述した実施例に種々の変形及び置換を加えることができる。
【０１２８】
例えば、上述の実施例１乃至３では、入力装置１０から構成識別番号を入力し部分対応テーブルを更新するが、ホストＰＣ１から構成識別番号を入力してもよい。これにより、画像形成装置２の外部にある装置からでもメッセージデータベースを更新することが可能となる。
【０１２９】
また、数種類の構成識別番号を外部記憶装置１１に予め記憶しておき、所定の条件に応じて自動的に構成識別番号を切り替えるようにしてもよい。これにより、例えば、ユーザーが構成識別番号を入力しなくても、画像形成装置２が行うユーザー認証の結果に応じてメッセージデータベースを自動的に変更することができる。
【０１３０】
また、上述の実施例では、メッセージ表示手段２４が、メッセージを画像形成装置２に付属の表示装置９に表示しているが、メッセージ送信手段２５が、メッセージ抽出手段２３の取得したメッセージを、ホストＩ／Ｆ４を介してホストＰＣ１に送信してもよい。これにより、画像形成装置２を遠隔操作するユーザーであっても画像形成装置２の状態を知ることができる。また、ホストＰＣ１でユーザー認証を行っているような場合、画像形成装置２はホストＰＣ１からユーザー情報を構成識別番号として受信し、ユーザーの熟練度等に応じてメッセージデータベースを切り替えることも可能である。
【図面の簡単な説明】
【０１３１】
【図１】本発明に従った画像形成装置の構成例を示す図である。
【図２】外部記憶装置内に保存されている対応テーブルの例を示す図（その１）である。
【図３】一時記憶装置に抽出された部分対応テーブルの例を示す図（その１）である。
【図４】対応テーブルから部分対応テーブルを抽出する処理の流れを示すフローチャートである。
【図５】部分対応テーブルからメッセージを抽出する処理の流れを示すフローチャートである。
【図６】画像形成装置のオプション構成が変更された場合に、新しい構成識別番号を取得する処理の流れを示すフローチャートである。
【図７】オプションユニットの電源スイッチが切り替えられた場合に、画像形成装置が各オプションユニットの接続状態を取得し、オプション構成の変更を検知する処理の流れを示すフローチャートである。
【図８】外部記憶装置内に保存されている対応テーブルの例を示す図（その２）である。
【図９】一時記憶装置に抽出された部分対応テーブルの例を示す図（その２）である。
【図１０】画像形成装置の稼働中に電力モードが切り替えられた場合に、各オプションユニットの接続状態を取得し、オプション構成の変更を検知する処理の流れを示すフローチャートである。
【図１１】外部記憶装置に保存されるオプション接続状態テーブルの例を示す図である。
【図１２】オプションユニットの接続状態から構成識別番号を自動的に選択する処理の流れを示すフローチャートである。
【符号の説明】
【０１３２】
１      ホストＰＣ
２      画像形成装置
３      印刷処理部
４      ホストＩ／Ｆ
５      制御部
６      一時記憶装置
７      状態通知部
８      デバイス管理部
９      表示装置
１０    入力装置
１１    外部記憶装置
２０    構成識別情報取得手段
２１    状態識別情報取得手段
２２    部分対応テーブル抽出手段
２３    メッセージ抽出手段
２４    メッセージ表示手段
２５    メッセージ送信手段
２６    構成変更検知手段
２７    入力画面表示手段
２８    オプション接続状態取得手段
２９    構成識別情報選択手段
３０、３５、４０  構成識別番号欄
３１、３３、４１、４３  状態識別番号欄
３２、３４、４２、４４  メッセージ欄
３６    オプション接続状態欄
３７    大量給紙トレイ欄
３８    フィニッシャ欄
３９    手差しトレイ欄
【図１】
2007098934.tif 000003
【図２】
2007098934.tif 000004
【図３】
2007098934.tif 000005
【図４】
2007098934.tif 000006
【図５】
2007098934.tif 000007
【図６】
2007098934.tif 000008
【図７】
2007098934.tif 000009
【図８】
2007098934.tif 000010
【図９】
2007098934.tif 000011
【図１０】
2007098934.tif 000012
【図１１】
2007098934.tif 000013
【図１２】
2007098934.tif 000014